(57)【要約】【課題】自立可能な給水タンクを備える加湿装置の提供。【解決手段】給水タンク６のハンドル６０を縦姿勢とした場合、回動軸６０１の凸部６０１ａが軸受凹部６１３に嵌まり込むことによって、ハンドル６０が軸受部６１に係止される。また、ハンドル６０が軸受部６１に係止された状態において、回動軸６０１の凸部６０１ａと軸受凸部６１２とが当接するように構成されているので、ハンドル６０の開き角度が小さくなる方向（取っ手部６０３が収納部位に近接する方向）への回動が規制される。【選択図】図１１
2014066448.tif 000002
【特許請求の範囲】
【請求項１】
液体を貯留するタンク本体と、該タンク本体の底部に形成される液補充口と、該液補充口に取り付けられるキャップとを備え、該キャップに開閉弁を有する液出口が設けられたタンク、並びに該タンクが着脱自在に装着されるタンク装着部を備え、前記タンクが装着された場合に前記開閉弁を開放し、前記液出口より流下する液体を受けるための容器を備え、該容器の液体を気化する加湿装置において、
前記タンクは、
前記タンク本体の上部に設けた軸受部により枢支される横向きの軸を一体に有し、前記軸の回動により前記タンク本体の所定部位と接離する方向に回動する取っ手部と、
所定の回動位置にて前記所定部位に接近する方向への前記取っ手部の回動を規制する規制機構と
を備えることを特徴とする加湿装置。
【請求項２】
前記規制機構は、前記軸受部及び前記軸の夫々に凸部を備えてなることを特徴とする請求項１に記載の加湿装置。
【請求項３】
前記回動位置にて前記取っ手部を係止する係止機構を更に備えることを特徴とする請求項２に記載の加湿装置。
【請求項４】
前記係止機構は、前記軸の凸部が嵌り込む軸受凹部、又は前記軸受部の凸部が嵌り込む軸凹部を備えることを特徴とする請求項３に記載の加湿装置。
【請求項５】
前記取っ手部は、前記タンク本体を倒立姿勢にて支持する支持部材であることを特徴とする請求項１から請求項４の何れか１つに記載の加湿装置。
【発明の詳細な説明】
【技術分野】
【０００１】
本発明は、給水タンクを備えた加湿装置に関する。
【背景技術】
【０００２】
室内の空気には、塵埃、花粉、タバコの煙、呼気等といったように、人体に不快又は有害とされる様々な物質が含まれている。特に近年では、住宅が高気密化されていることから、そのような有害物質が室内に滞り易い。そのため、旧来より部屋の窓を適宜開けて自然換気を行っていた。
【０００３】
ところが、大気汚染のひどい地域や、花粉症を患っている人が居る家庭や職場では、自然換気を思いのまま行えないのが実情である。このような状況から、室内の空気を浄化する空気浄化機能を有する空気調和機が広く一般に普及してきている。
【０００４】
空気調和機は、例えば、前面に浄化フィルタが取付けられ、内部には、送風機を配された通風路が形成されている。通風路は前面の開口から上部の吹出口に至る。このような空気調和機は、送風機の回転に従い、外部の空気である室内の空気は、浄化フィルタを通じて通風路内に吸込み、吸込んだ空気を外部である室内へ吹出口より吹出す。その際、空気中に含まれる有害物質は浄化フィルタによって捕集、吸着、分解されたりして取除かれ、これにより空気が浄化される。
【０００５】
空気清浄機には、室内の空気をより一層快適な状態に調節する目的から、加湿機能を併せ持つものも存在する。加湿機能付きの空気清浄機では、水分を含んだ加湿フィルタが通風路の断面領域の一部を遮るように配されており、浄化フィルタにより浄化された空気の一部が、その加湿フィルタを通過する際に水分を取り込み、これにより加湿されるように構成されている（例えば、特許文献１参照）。また、加湿フィルタ全体で効率よく吸水するために、縦姿勢に配された円盤状の加湿フィルタを回転させる加湿装置も知られている（例えば、特許文献２参照）。
【０００６】
特許文献２のような加湿装置は、水を貯留する水槽を備え、加湿フィルタは、周方向の一部分が水槽にて浸水するようにして縦姿勢に配された状態で、加湿フィルタの中心位置に側面と直交する横姿勢の回転軸を中心に、周方向へ回転可能に構成されている。周方向へ回転することにより加湿フィルタは周方向に連続的に浸水し、また、浸水している部分から浸水していない部分へ水を吸い上げるため、加湿フィルタ全体に水が行き渡る。この結果、加湿フィルタは加湿フィルタ全体で効率よく吸水する。
【０００７】
更に、吸水した加湿フィルタの一面側へ送風機で送風することにより、加湿フィルタを通過した空気が吸湿し、吸湿した空気が加湿装置の外部へ送風される。
【先行技術文献】
【特許文献】
【０００８】
【特許文献１】特開２００６−４６７２９号公報
【特許文献２】実開昭５４−１７２５６８号公報
【発明の概要】
【発明が解決しようとする課題】
【０００９】
特許文献１及び２に記載されたような加湿装置には、注水口が底部に設けられた給水タンクが着脱自在に装着される。そして、このような給水タンクには、利用者が運搬し易いように、タンクの上部にハンドルを設けているものが存在する。
【００１０】
注水口が底部に設けられた給水タンクにおいては、注水時に給水タンクの天地をひっくり返し、倒立させた状態を維持する必要がある。このため、従来の給水タンクには、ハンドルの開き角度が鉛直方向より開いた角度となるようにハンドルを付勢するためのバネが設けられていたり、錘を用いてハンドルの重心位置をずらすことによって倒立状態でのハンドルの開き角度を鉛直方向より開いた角度に維持する機構が搭載されていた。これにより、給水タンクを倒立させた状態でシンクなどに載置する際、ハンドルが邪魔になることなく、給水タンクを自立させることが可能であった。
【００１１】
しかしながら、このような給水タンクは、ハンドルの開き角度を鉛直方向より開いた角度に維持するための機構として、バネや錘などの追加部品を用いる必要があるため、製造コストを抑えることができず、しかも、組み立て工程が複雑化するといった問題点が生じていた。
【００１２】
本発明は、斯かる事情に鑑みてなされたものであり、バネや錘などの追加部品を用いることなく、取っ手部の開き角度を所定角度以上に維持することができる給水タンクを備えた加湿装置を提供することを目的とする。
【課題を解決するための手段】
【００１３】
本発明に係る加湿装置は、液体を貯留するタンク本体と、該タンク本体の底部に形成される液補充口と、該液補充口に取り付けられるキャップとを備え、該キャップに開閉弁を有する液出口が設けられたタンク、並びに該タンクが着脱自在に装着されるタンク装着部を備え、前記タンクが装着された場合に前記開閉弁を開放し、前記液出口より流下する液体を受けるための容器を備え、該容器の液体を気化する加湿装置において、前記タンクは、前記タンク本体の上部に設けた軸受部により枢支される横向きの軸を一体に有し、前記軸の回動により前記タンク本体の所定部位と接離する方向に回動する取っ手部と、所定の回動位置にて前記所定部位に接近する方向への前記取っ手部の回動を規制する規制機構とを備えることを特徴とする。
【００１４】
本発明に係る加湿装置は、前記規制機構は、前記軸受部及び前記軸の夫々に凸部を備えてなることを特徴とする。
【００１５】
本発明に係る加湿装置は、前記回動位置にて前記取っ手部を係止する係止機構を更に備えることを特徴とする。
【００１６】
本発明に係る加湿装置は、前記係止機構は、前記軸の凸部が嵌り込む軸受凹部、又は前記軸受部の凸部が嵌り込む軸凹部を備えることを特徴とする。
【００１７】
本発明に係る加湿装置は、前記取っ手部は、前記タンク本体を倒立姿勢にて支持する支持部材であることを特徴とする。
【００１８】
本発明にあっては、タンク本体の所定部位と接離する方向に回動される取っ手部と、所定の回動位置にて前記所定部位に接近する方向への取っ手部の回動を規制する規制機構とを備え、取っ手部の開き角度が小さくなる方向への回動を規制するので、取っ手部の開き角度が所定角度以上となるように維持することができる。
【発明の効果】
【００１９】
本発明によれば、バネや錘などの追加部品を用いることなく、タンクを運搬するための取っ手部の開き角度を所定角度以上に維持することができ、倒立姿勢にてタンクを容易に自立させることができる。また、バネや錘などの追加部品を用いていないため、製造コストの上昇を抑えることができ、製品の組み立てを容易化することができる。
【図面の簡単な説明】
【００２０】
【図１】本実施の形態に係る加湿装置を示す正面側の斜視図である。
【図２】本実施の形態に係る加湿装置を示す側断面図である。
【図３】本実施の形態に係る加湿装置を示す背面側の斜視図である。
【図４】本実施の形態に係る加湿装置を示す分解斜視図である。
【図５】給水タンクの一例を示す斜視図である。
【図６】給水タンクの一例を示す正面図である。
【図７】給水タンクのハンドルを示す模式図である。
【図８】軸受部の構成を説明する模式的断面図である。
【図９】運搬時の給水タンクを示す斜視図である。
【図１０】運搬時の給水タンクを示す正面図である。
【図１１】運搬時の軸受部の状態を示す模式的断面図である。
【図１２】倒立姿勢での給水タンクの状態を示す模式的断面図である。
【図１３】給水タンクの倒立姿勢を示す斜視図である。
【発明を実施するための形態】
【００２１】
本発明をその実施の形態を示す図面に基づいて具体的に説明する。
図１は本実施の形態に係る加湿装置を示す正面側の斜視図、図２は側断面図、図３は背面側の斜視図、図４は分解斜視図である。なお、図２において、紙面左側は加湿装置の正面側（前側）であり、紙面右側は加湿装置の背面側（後側）である。
【００２２】
本実施の形態に係る加湿装置は、縦型直方体状のハウジング１を備え、壁及び床を有する室内において、ハウジング１の背面側が壁に対面する姿勢で床に設置される。本実施の形態に係る加湿装置は、設置された室内を加湿する加湿機能を有するだけでなく、室内の臭気を脱臭する機能、室内の塵、ホコリ、花粉などを集塵する機能、帯電粒子である正イオン及び負イオン（以下、単にイオンという）を放出する機能等を有する。
【００２３】
ハウジング１の内部には、第１通風路１０、第２通風路２０、及び制御室９０が、互いに区画されて設けられている。
【００２４】
第１通風路１０は、垂直方向の隔壁１４及び後ろ斜め方向の隔壁１５により更に区画されており、隔壁１４より後側（背面側）のフィルタ収容室１１、２つの隔壁１４，１５の間に位置する加湿室１２、及び隔壁１５より前側（前面側）の送気室１３を備える。ハウジング１の後面には、多数の吸気口１７，１７，１７，…を有する後面パネル１６が着脱可能に取り付けられる。フィルタ収容室１１は、この後面パネル１６に開設された多数の吸気口１７，１７，１７，…を介して外部に連通する。また、送気室１３は、ハウジング１の天面に開設された送気口１８を介して外部に連通する。加湿室１２は、隔壁１４及び１５の下部に設けた開口を経て、フィルタ収容室１１及び送気室１３の双方に連通するように構成されている。
【００２５】
フィルタ収容室１１には、脱臭フィルタ３１及び集塵フィルタ３２が積層配置してある。脱臭フィルタ３１は、例えば、不織布に活性炭を分散保持させてなり、通気中の臭い成分を吸着、除去する作用をなす。集塵フィルタ３２は、例えば、公知のＨＥＰＡ（High Efficiency Particulate Air ）フィルタであり、通気中に含まれる微細な塵埃を捕集、除去する作用をなす。脱臭フィルタ３１及び集塵フィルタ３２は、合成樹脂製の矩形の枠体に各別に一体化され、後面パネル１６の前側に設けたフィルタ収容室１１に嵌め込まれている。
【００２６】
送風手段としての送風ファン４は、例えば、シロッコファンであり、羽根車４０と、羽根車４０を駆動するファンモータ４１とを備えている。ファンモータ４１は、送気室１３を構成する壁面に固定されている。羽根車４０は、送気室１３内に突出するファンモータ４１の出力端に固定され、隔壁１４，１５の下部に設けた開口に対向配置してある。送風ファン４の羽根車４０は、ファンモータ４１の駆動によって回転する。羽根車４０が回転した場合、図２の白抜矢符で示すように、後面パネル１６に設けた吸気口１７，１７，１７，…を経て、フィルタ収容室１１の内部に外気が導入される。フィルタ収容室１１に導入された外気は、フィルタ収容室１１の内部を前方向に流れ、加湿室１２を経て羽根車４０に吸い込まれ、上向きに方向を変えて送気室１３の内部に導出される。そして、送気室１３を斜め後ろ方向に通流し、送気室１３末端の送気口１８を経て外部に送り出される。
【００２７】
このように、フィルタ収容室１１、加湿室１２及び送気室１３は、送風ファン４の動作に応じて前述した空気の流れが生じる第１通風路１０を構成する。脱臭フィルタ３１及び集塵フィルタ３２は、第１通風路１０の上流側に位置しており、吸気口１７，１７，１７，…を経てフィルタ収容室１１に導入される外気は、脱臭フィルタ３１の通過により臭い成分を除去され、集塵フィルタ３２の通過により塵埃を除去された清浄な空気となって、送気室１３の末端の送気口１８を経て送り出される。なお、送気口１８には、風向などを調整するためのルーバ７が設けられている。
【００２８】
本実施の形態に係る加湿装置は加湿機能を有しており、第１通風路１０を流れる空気を加湿すべく、加湿室１２（すなわち、集塵フィルタ３２と送風ファン４との間）には、加湿ユニット５を設けている。
【００２９】
この加湿ユニット５は、加湿フィルタ部５０と水槽５５とにより構成される。加湿フィルタ部５０は、円環状をなす保持枠５１の内側に加湿フィルタ５２を収容保持して構成されている。加湿フィルタ５２は、不織布等、高い含水性を有すると共に通気が可能な材料製のシートであり、後側から前側に向けて流れる通気との接触面積を増加させるべく、蛇腹状に折り重ね、重ね幅の方向を通気の方向に沿わせて前記保持枠５１の内部に収容されている。
【００３０】
水槽５５は、上部が開放された皿形の容器であり、ハウジング１の底板に設けたガイド部１９に嵌め込むことにより、集塵フィルタ３２の前側の加湿室１２の内部に配され、内部に設けた２つにローラ部材（不図示）により加湿フィルタ部５０の保持枠５１を回転可能に支持するように構成されている。水槽５５は、加湿フィルタ部５０と共に、ガイド部１９に沿ってスライド移動することにより、ハウジング１の一側面から外部に引き出すことが可能である。水槽５５の引き出し側の端部には、広幅のタンク受け５６が連設してあり、タンク受け５６には、給水タンク６が着脱されるようになしてある。
【００３１】
給水タンク６は、一側の端部に給水栓を有する直方体のタンクであり、給水栓の側を下向きとした倒立姿勢にてタンク受け５６に装着される。給水栓は、公知の定水位弁を内蔵している。この定水位弁は、タンク受け５６への給水タンク６の装着時に開放されて、給水タンク６内の収容水を水槽５５に送り出し、水槽５５の内部に一定水位の水を貯留させるように作用する。
【００３２】
加湿フィルタ部５０の保持枠５１の外周に沿って従動ギア５１ａが取り付けてあり、従動ギア５１ａと、加湿フィルタ部５０の上部に配置した駆動ギア５８ａとが噛合している。加湿フィルタ部５０の上部に配置した電動モータ５８により駆動ギア５８ａを回転させると、駆動力が従動ギア５１ａに伝達され、保持枠５１及び加湿フィルタ５２が回転する。加湿フィルタ５２は、回転することによって水槽５５に浸漬した部分が順次周方向に移動して水を吸い上げ、加湿フィルタ５２の全体が水分を含んだ状態になる。その結果、加湿フィルタ５２を通過した空気は加湿される。一方、加湿フィルタ５２が回転していないときには、加湿フィルタ５２を通過した空気はほとんど吸湿しない。
【００３３】
また、送風ファン４から送気口１８に至る送気室１３には、イオン発生器３５が配設されている。イオン発生器３５は、送気室１３の壁面１３ａに固定され、針状の放電電極及び該放電電極に対向配置された誘導電極を有し、高電圧を印加された放電電極がコロナ放電を起こして正負のイオンを発生させる。イオン発生器３５の放電電極は、送気室１３に露出しており、イオン発生器３５を駆動している場合、送風ファン４から送気口１８へ向かう空気にイオンが放出され、イオンを含んだ空気が送気口１８より室内に送り出される。室内へ放出されたイオンは、菌類、ウィルス、及びアレルゲン等を死滅又は不活性化させ、悪臭の原因となる物質（例えばアセトアルデヒドのような有機化合物）を分解する。
【００３４】
なお、送気室１３における前側及び後側の壁面１３ａ，１３ｂは、前下側から後上方へ傾斜するように配してあるため、送気口１８を通じて送り出される空気は、加湿装置の背面の壁に沿って上昇し、天井に沿って壁から離れる方向へ流れる。天井に沿って流れる空気は、部屋の反対側の壁付近で下降するので、イオンを含んだ空気を加湿装置から比較的遠い場所に届かせることができる。また、部屋の反対側の壁付近で下降した空気は、床に沿って加湿装置の方句に流れ、部屋の中を循環する。
【００３５】
一方、第２通風路２０は、第１通風路１０より上側、ハウジング１の前寄りに位置し、ハウジング１の天面に連なる曲面状の隔壁２１と、ハウジング１の前カバー１ａとにより区画された領域に設けられている。前カバー１ａには、矩形状の吸気口２２が開設されており、前カバー１ａの上部とハウジングの天面との間に送気口２６が設けられている。第２通風路２０には送風ファン２４が設けられており、第２通風路２０は、送風ファン２４より下側の吸気室２０ａと、送風ファン２４より上側の送気室２０ｂとにより分割される。吸気室２０ａは吸気口２２を通じて外部と連通し、送気室２０ｂは送気口２６を通じて外部と連通している。
【００３６】
吸気室２０ａには、粗い格子状のガード部２３が設けられており、ガード部２３に対してプレフィルタ８が着脱自在に装着されている。プレフィルタ８は、比較的編み目の細かいネット状のフィルタを保持枠により保持したフィルタ部８１と、第２通風路２０の一部を形成すると共に、着脱時の取っ手となる取っ手部８２とにより構成されている。プレフィルタ８は、吸気室２０ａへ流入する空気に含まれている粗い塵埃を捕集し除去する。
【００３７】
第２通風路２０に設けられた送風ファン２４は、ファンモータ（不図示）及びファン２４２を備える。ファンモータはファン２４２を左右方向の軸まわりに回転駆動する。ファン２４２は、例えば、回転中心に対し外縁側が回転方向へ変位する複数の羽根を有する円筒形状をなす多翼羽根車を有するクロスフローファンである。ファン２４２は、回転中心の方向が加湿装置の左右方向となるように配してある。ファン２４２は、ファンモータの出力軸に固定され、ファンモータの駆動によって回転する。ファン２４２が回転することによって、図２中の実線の矢印にて示すように、室内の空気は、吸気口２２を介して第２通風路２０へ吸入され、吸入された空気は、吸気室２０ａから送気室２０ｂへ通流し、送気口２６を通じて室内へ送り出される。
【００３８】
また、第２通風路２０には、第１通風路１０と同様に、イオン発生器２５が配設されている。イオン発生器２５は、送風ファン２４と送気口２６との間にて、隔壁２１の壁面に固定されており、針状の放電電極及び該放電電極に対向配置された誘導電極を有し、高電圧を印加された放電電極がコロナ放電を起こして正負のイオンを発生させる。イオン発生器２５を駆動している場合、送風ファン２４から送気口２６へ向かう空気にイオンが放出され、イオンを含んだ空気が送気口２６より室内に送り出される。なお、送気口２６には、電動モータにより左右方向の軸のまわりに回転駆動する風向規制板２７が設けられており、送り出す空気に含まれるイオンが室内の中央付近に到達し易いように、風向規制板２７の傾斜角度が調節される。
【００３９】
第２通風路２０から送り出す空気の方向は、第１通風路１０から送り出す空気の方向と異なっている。すなわち、第２通風路２０からは、前方へ空気を送り出すようにしているのに対し、第１通風路１０からは、後方斜め上方へ空気を送り出すようにしている。
【００４０】
図５は給水タンク６の一例を示す斜視図、図６は正面図である。給水タンク６は、透明又は半透明の樹脂材料により形成されたタンク本体６ａを備える。タンク本体６ａは、概ね扁平な箱を垂直に立てたような中空の部材により構成され、内部に水が貯留される。タンク本体６ａの下面からは、筒状の注水口６ｂが突出していて、タンク本体６ａ内部の水の量が少なくなった場合、この注水口６ｂよりタンク本体６ａの内部に水道等から水が注ぎ込まれ、補充される。注水口６ｂの外周面には、雄ねじが形成されていて、その内周面に雌ねじが形成されたキャップ６ｃを取り付けることができるように構成されている。
【００４１】
キャップ６ｃには、図に示していない液出口及び開閉弁が設けられている。開閉弁は、液出口を閉塞するために所定の方向（キャップ６ｃを注水口６ｂに取り付けた場合に、給水タンク６の外側に向く方向）に向けて付勢されている。給水タンク６は、キャップ６ｃが注水口６ｂに取り付けられた状態で、水槽５５のタンク受け部５６に装着される。給水タンク６がタンク受け部５６に装着された場合、開閉弁は上方に押し上げられ、液出口を開放するので、この液出口を通じてタンク本体６ａ内部の水は外部へ流出し、水槽５５に水が供給される。
【００４２】
タンク本体６ａの一側面には、加湿装置のハウジング１の一部を構成する側面パネル６ｄが装着されている。側面パネル６ｄには、縦方向に長いスリット６ｅが形成されていて、タンク本体６ａ内部に貯留されている水の量を外側から確認できるように構成されている。
【００４３】
タンク本体６ａの上部には、加湿装置の前後方向を向く軸回りに回動可能に支持されたハンドル６０が設けられている。このハンドル６０は、給水タンク６がタンク受け部５６に装着されている場合には横姿勢でハウジング１に収容されており、給水タンク６をタンク受け部５６から取り出す際、給水タンク６を運搬する際に使用される。また、給水タンク６を運搬する際には、後述する図９に示すように、ハンドル６０は縦姿勢で使用される。
【００４４】
図７は給水タンク６のハンドル６０を示す模式図である。給水タンク６の上部には、ハンドル６０の回動軸６０１（図８を参照）を枢支する軸受部６１を備える。軸受部６１は、給水タンク６をハウジング１に装着したときに回動軸６０１の軸方向が加湿装置の前後方向を向くように、タンク本体６ａにネジ止めされて固定されている。軸受部６１は、軸方向に長い形状を有しており、回動軸６０１の両端部を除く部分を枢支するように構成されている。また、軸受部６１の長手方向の中央部には、回動軸６０１の回動を規制するための規制部材６１１が一体的に形成されている。
【００４５】
ハンドル６０は、軸受部６１に枢支される回動軸６０１、回動軸６０１の両端に立設される２つの支柱部６０２，６０２、及び支柱部６０２，６０２に支持される取っ手部６０３により構成される。図７に示すように、ハンドル６０をタンク本体６ａの上部に収納した状態（以下、収納状態という）において、取っ手部６０３の側面部は側面パネル６ｄに連なる形状を有しており、この側面部に利用者の手が入る程度の大きさの開口部６０４が設けられている。利用者は、開口部６０４に手を掛けて取っ手部６０３を動かすことができ、これにより、ハンドル６０は回動軸６０１のまわりに回動するように構成されている。
【００４６】
収納状態において、取っ手部６０３はタンク本体６ａの上部に当接（又は近接）するような位置に配される。以下では、収納状態において取っ手部６０３と対向するタンク本体６ａ上部の部位（所定部位）を収納部位という。ハンドル６０を回動させることによって、取っ手部６０３は収納部位から離隔する方向に回動する。また、取っ手部６０３が収納部位から離隔した状態において、前記方向とは逆方向（すなわち、収納部位に近接する方向）に回動させることにより、取っ手部６０３を収納部位に収納することができる。
【００４７】
本実施の形態では、軸受部６１に規制部材６１１を設けることにより、取っ手部６０３が所定の回動位置から前記収納部位に接近する方向へ回動することを規制することを特徴の１つとしている。
【００４８】
図８は軸受部６１の構成を説明する模式的断面図である。前述したように、軸受部６１は、タンク本体６ａの上部に固定されている。軸受部６１は、軸方向と直交する断面形状がＵ字形状をなし、その内周面にてハンドル６０の回動軸６０１を枢支するように構成されている。規制部材６１１は、軸受部６１の内周面から内向きに突出した軸受凸部６１２と、外向きに窪んだ軸受凹部６１３とを備える。軸受凸部６１２は軸方向に平行な突条であり、規制部材６１１の縁部に設けられている。また、軸受凹部６１３は、軸方向に平行な切欠溝として形成され、軸受凸部６１２と連なるように規制部材６１１の縁部に設けられている。
なお、本実施の形態では、軸受凹部６１３を切欠溝により形成したが、切り欠きである必要はなく、単なる窪みであってもよい。
【００４９】
ハンドル６０の回動軸６０１は、円柱状の軸であり、軸方向における規制部材６１１と対向する位置に凸部６０１ａを備える。この凸部６０１ａは、軸方向の平面視で弓形形状をなし、軸方向に薄い板状の突起である。
なお、規制部材６１１の軸方向の長さの範囲内で、複数の凸部６０１ａを回動軸６０１の軸方向に連設する構成としてもよい。
【００５０】
図９は運搬時の給水タンク６を示す斜視図、図１０は正面図である。給水タンク６を運搬する際には、ハンドル６０は縦姿勢で使用される。後述するように、給水タンク６のハンドル６０を縦姿勢とした場合、回動軸６０１の凸部６０１ａが軸受凹部６１３に嵌まり込み、しかも軸受凸部６１２により回動軸６０１の回動が規制されるので、ハンドル６０は所定の回動位置にて係止される。本実施の形態では、タンク本体６ａの上部からのハンドル６０の開き角度が、図１０に示すように９０度以上の所定角度（例えば１００度）となるように、ハンドル６０が係止される。
【００５１】
図１１は運搬時の軸受部６１の状態を示す模式的断面図である。給水タンク６のハンドル６０を縦姿勢とした場合、回動軸６０１の凸部６０１ａが軸受凹部６１３に嵌まり込むことによって、ハンドル６０が軸受部６１に係止される。この係止位置（回動位置）において、タンク本体６ａの上部からのハンドル６０の開き角度が９０度以上の所定角度（例えば、１００度）となるように、軸受部６１の軸受凸部６１２及び軸受凹部６１３の位置決め、並びに回動軸６０１の凸部６０１ａの高さ調整がなされている。
【００５２】
また、ハンドル６０が軸受部６１に係止された状態において、回動軸６０１の凸部６０１ａと軸受凸部６１２とが当接するように構成されているので、ハンドル６０の開き角度が小さくなる方向（取っ手部６０３が収納部位に近接する方向）への回動が規制される。
【００５３】
すなわち、本実施の形態では、回動軸６０１の凸部６０１ａと軸受部６１の軸受凹部６１３とによりハンドル６０の係止機構を構成し、回動軸６０１の凸部６０１ａと軸受部６１の軸受凸部６１２とにより規制機構を構成している。ハンドル６０が係止された状態にて、ハンドル６０の開き角度が小さくなる方向に取っ手部６０３に力が加えられた場合、回動軸６０１の凸部６０１ａは軸受凸部６１２を乗り越えることができるように、軸受凸部６１２を曲面形状としている。このため、ハンドル６０の開き角度が所定角度以上となった状態から元に戻し、ハンドル６０の取っ手部６０３を収納状態に戻すことが可能である。また、ハンドル６０の開き角度が大きくなる方向には規制部材を設けていないため、ごく僅かな力が取っ手部６０３に加えられた場合、ハンドル６０は最大角度（例えば、１８０度）まで回動する。
【００５４】
図１２は倒立姿勢での給水タンク６の状態を示す模式的断面図である。本実施の形態に係る給水タンク６は底部に注水口６ｂを備えるため、タンク本体６ａ内部の水の量が少なくなった場合、給水タンク６の天地をひっくり返し、給水タンク６を倒立させた状態で注水する必要がある。ハウジング１から給水タンク６を取り出し、水道がある場所まで運搬した後には、図１１に示すように、給水タンク６のハンドル６０は縦姿勢となっている。この状態から給水タンク６を倒立させた場合、ハンドル６０の開き角度が小さくなる方向には規制部材６１１により回動が規制され、開き角度が大きくなる方向には規制部材が設けられておらず、更にハンドル６０の開き角度が９０度以上の所定角度（例えば１００度）で係止されているため、例えば、注水のためにシンクなどの床面に載置した際、ハンドル６０は図１２の矢符で示す方向に回動し、ハンドル６０の取っ手部６０３と給水タンク６の側面パネル６ｄとにより支持されて自立した状態を保つことができる。
【００５５】
図１３は給水タンク６の倒立姿勢を示す斜視図である。前述したように、給水タンク６を倒立させた状態で載置した場合、給水タンク６は、ハンドル６０の取っ手部６０３と給水タンク６の側面パネル６ｄとにより支持されて自立する。このため、利用者は、両手が空いた状態で注水作業を実施することができる。
【００５６】
なお、本実施の形態では、回動軸６０１の凸部６０１ａと軸受部６１の軸受凹部６１３とによりハンドル６０の係止機構を構成したが、回動軸６０１に凹部を設け、軸受部６１の対応箇所に凸部を設けることにより、ハンドル６０を所定の回動位置で係止する構成としてもよい。
【符号の説明】
【００５７】
６  給水タンク
６ａ  タンク本体
６ｂ  注水口
６ｃ  キャップ
６ｄ  側面パネル
６０  ハンドル
６１  軸受部
６０１  回動軸
６０１ａ  凸部
６０２  支柱部
６０３  取っ手部
６１１  規制部材
６１２  軸受凸部
６１３  軸受凹部
【図１】
2014066448.tif 000003
【図２】
2014066448.tif 000004
【図３】
2014066448.tif 000005
【図４】
2014066448.tif 000006
【図５】
2014066448.tif 000007
【図６】
2014066448.tif 000008
【図７】
2014066448.tif 000009
【図８】
2014066448.tif 000010
【図９】
2014066448.tif 000011
【図１０】
2014066448.tif 000012
【図１１】
2014066448.tif 000013
【図１２】
2014066448.tif 000014
【図１３】
2014066448.tif 000015